(57)【要約】      （修正有）【課題】通信経路毎に通信光の有無を検知することが可能な通信光検知機能付マルチコアインタフェースを提供する。【解決手段】複数のシングルコア光ファイバ１０１が集合されてなるマルチコアインタフェース部１０２と、複数のシングルコア光ファイバ１０１のそれぞれに設けられた通信光検知部１０３と、を備える通信光検知機能付マルチコアインタフェース１００である。通信光検知部１０３は、シングルコア光ファイバ１０１に形成されると共にシングルコア光ファイバ１０１で伝送される通信光の一部を漏洩光として取り出すための光取出用溝と、光取出用溝で取り出された漏洩光を検知する通信光検知器と、を備えると良い。【選択図】図１
2015001548.tif 000002
【特許請求の範囲】
【請求項１】
複数のシングルコア光ファイバが集合されてなるマルチコアインタフェース部と、
複数の前記シングルコア光ファイバのそれぞれに設けられた通信光検知部と、
を備えることを特徴とする通信光検知機能付マルチコアインタフェース。
【請求項２】
前記通信光検知部は、
前記シングルコア光ファイバに形成されると共に前記シングルコア光ファイバで伝送される通信光の一部を漏洩光として取り出すための光取出用溝と、
前記光取出用溝で取り出された前記漏洩光を検知する通信光検知器と、
を備える請求項１に記載の通信光検知機能付マルチコアインタフェース。
【請求項３】
前記通信光検知部は、
前記シングルコア光ファイバに形成されると共に前記シングルコア光ファイバで伝送される通信光の一部を漏洩光として取り出すための屈折率変化コア部と、
前記屈折率変化コア部で取り出された前記漏洩光を検知する通信光検知器と、
を備える請求項１に記載の通信光検知機能付マルチコアインタフェース。
【発明の詳細な説明】
【技術分野】
【０００１】
本発明は、マルチコア光ファイバと複数のシングルコア光ファイバとの間でのファンイン又はファンアウトを実現するための通信光検知機能付マルチコアインタフェースに関する。
【背景技術】
【０００２】
通信データの大容量化に伴い、空間分割多重方式（Space Division Multiplexing；ＳＤＭ）を利用した光通信技術の研究開発が進められている。この空間分割多重方式では、複数の通信経路を用意する必要があることから、１本の通信用光ファイバで複数の通信経路を確保するために、通信用光ファイバとして、複数のコアの周囲に共通のクラッドが形成されてなるマルチコア光ファイバ（Multi-Core Fiber；ＭＣＦ）を使用することが提案されている。
【０００３】
通信用光ファイバの終端には光送受信器が光接続されるが、通信用光ファイバと光送受信器とは複数のシングルコア光ファイバを介して光接続されるため、通信用光ファイバとしてマルチコア光ファイバを使用する場合には、マルチコア光ファイバと複数のシングルコア光ファイバとの間でのファンイン又はファンアウトを実現するためのマルチコアインタフェースが必要となる（例えば、特許文献１参照）。
【先行技術文献】
【特許文献】
【０００４】
【特許文献１】特開２０１２−０２２１７６号公報
【特許文献２】特開２００９−２７６６２８号公報
【発明の概要】
【発明が解決しようとする課題】
【０００５】
ところで、光通信関連設備では、メンテナンス等の際に通信障害が発生することを防止したり、通信用光ファイバの健全性を確認したりするために、通信用光ファイバで伝送される通信光の有無を検知することが必須である（例えば、特許文献２参照）。
【０００６】
しかしながら、従来のマルチコアインタフェースは通信光検知機能が付いておらず、通信経路毎に通信光の有無を検知することはできなかった。
【０００７】
そこで、本発明の目的は、通信経路毎に通信光の有無を検知することが可能な通信光検知機能付マルチコアインタフェースを提供することにある。
【課題を解決するための手段】
【０００８】
この目的を達成するために創案された本発明は、複数のシングルコア光ファイバが集合されてなるマルチコアインタフェース部と、複数の前記シングルコア光ファイバのそれぞれに設けられた通信光検知部と、を備える通信光検知機能付マルチコアインタフェースである。
【０００９】
前記通信光検知部は、前記シングルコア光ファイバに形成されると共に前記シングルコア光ファイバで伝送される通信光の一部を漏洩光として取り出すための光取出用溝と、前記光取出用溝で取り出された前記漏洩光を検知する通信光検知器と、を備えると良い。
【００１０】
前記通信光検知部は、前記シングルコア光ファイバに形成されると共に前記シングルコア光ファイバで伝送される通信光の一部を漏洩光として取り出すための屈折率変化コア部と、前記屈折率変化コア部で取り出された前記漏洩光を検知する通信光検知器と、を備えても良い。
【発明の効果】
【００１１】
本発明によれば、通信経路毎に通信光の有無を検知することが可能な通信光検知機能付マルチコアインタフェースを提供することができる。
【図面の簡単な説明】
【００１２】
【図１】本発明に係る通信光検知機能付マルチコアインタフェースを示す概略図である。
【図２】（ａ）は図１のＡ−Ａ線断面図、（ｂ）は図１のＢ−Ｂ線断面図である。
【図３】通信光検知器の一例を示す一部縦断面図である。
【図４】通信光検知器の一例を示す一部縦断面図である。
【発明を実施するための形態】
【００１３】
以下、本発明の好適な実施の形態を添付図面にしたがって説明する。
【００１４】
図１に示すように、本実施の形態に係る通信光検知機能付マルチコアインタフェース１００は、複数のシングルコア光ファイバ１０１が集合されてなるマルチコアインタフェース部１０２と、複数のシングルコア光ファイバ１０１のそれぞれに設けられた通信光検知部１０３と、を備えることを特徴とする。
【００１５】
マルチコアインタフェース部１０２は、フェルール１０４の内部に収容されたマルチコア光ファイバ１０５の終端に光送受信器１０６を光接続するためのものであり、複数のシングルコア光ファイバ１０１の端末のそれぞれをフェルール１０７の内部に集合させたものである。
【００１６】
図２に示すように、シングルコア光ファイバ１０１の外径Ｄはマルチコア光ファイバ１０５のコアピッチＰと同一となっており、複数のシングルコア光ファイバ１０１の端末のそれぞれが断面円形のフェルール１０７の内部で集合されることにより、複数のシングルコア光ファイバ１０１のコア１０８のそれぞれとマルチコア光ファイバ１０５のコア１０９のそれぞれとが光軸合わせされるようになっている。この複数のシングルコア光ファイバ１０１のコア１０８のそれぞれとマルチコア光ファイバ１０５のコア１０９のそれぞれとにより複数の通信経路が形成されている。
【００１７】
フェルール１０７の内部に複数のマルチコア光ファイバ１０５が収容されたときに形成される隙間には接着剤１１０が充填されており、フェルール１０７の内部に複数のシングルコア光ファイバ１０１が固定されている。複数のシングルコア光ファイバ１０１の端末のそれぞれが位置するフェルール１０７の端部は、フェルール１０７の内部に複数のシングルコア光ファイバ１０１が固定された後に研磨されており、フェルール１０７の端部に光接続損失が少ない光入出射端面が形成されている。
【００１８】
なお、図１及び図２では描いていないが、シングルコア光ファイバ１０１の周囲にはシングルコア光ファイバ１０１を保護するための被覆層１１１が形成されており（図３参照）、シングルコア光ファイバ１０１は端末の被覆層１１１が除去された後にフェルール１０７の内部に収容される。
【００１９】
図３に示すように、通信光検知部１０３は、シングルコア光ファイバ１０１に形成されると共にシングルコア光ファイバ１０１で伝送される通信光１１２の一部を漏洩光１１３として取り出すための光取出用溝１１４と、光取出用溝１１４で取り出された漏洩光１１３を検知する通信光検知器１１５と、を備える。
【００２０】
光取出用溝１１４は、シングルコア光ファイバ１０１の外周から少なくともコア１０８の一部に至るまでをダイシング等により切削して形成されている。この光取出用溝１１４は、漏洩光１１３を散乱させる光散乱物質（例えば、ジルコニア）で形成されたフェルール１１６によって保護されている。
【００２１】
光取出用溝１１４で取り出された漏洩光１１３は、フェルール１１６によって散乱された後で通信光検知器１１５に到達する。この散乱により、光取出用溝１１４から様々な方向に放射されて取り出された漏洩光１１３が通信光検知器１１５に到達する可能性が高くなり、より正確な検知を行うことが可能となる。
【００２２】
なお、フェルール１１６には、図３中の破線で示したように、通信光検知器１１５を光取出用溝１１４により近接させて検知感度を向上させるための収容溝１１７が形成されていても良い。
【００２３】
通信光検知器１１５は、フォトダイオード等の受光素子１１８と、受光素子１１８からの信号を処理して目視にて通信光１１２の検知を作業者に知らせる処理回路及び表示器１１９と、を備える。
【００２４】
この通信光検知部１０３は、複数のシングルコア光ファイバ１０１のそれぞれに設けられているため、通信経路毎に通信光１１２の有無を検知することが可能である。
【００２５】
これまで説明してきたように、本発明によれば、通信経路毎に通信光１１２の有無を検知することが可能な通信光検知機能付マルチコアインタフェース１００を提供することができる。
【００２６】
なお、本実施の形態では、通信光検知部１０３は、シングルコア光ファイバ１０１に形成されると共にシングルコア光ファイバ１０１で伝送される通信光１１２の一部を漏洩光１１３として取り出すための光取出用溝１１４と、光取出用溝１１４で取り出された漏洩光１１３を検知する通信光検知器１１５と、を備えるものとしたが、図４に示すように、シングルコア光ファイバ１０１に形成されると共にシングルコア光ファイバ１０１で伝送される通信光１１２の一部を漏洩光１１３として取り出すための屈折率変化コア部１２０と、屈折率変化コア部１２０で取り出された漏洩光１１３を検知する通信光検知器１１５と、を備えるものとしても構わない。
【００２７】
屈折率変化コア部１２０は、シングルコア光ファイバ１０１の途中に、シングルコア光ファイバ１０１のコア１０８とは屈折率が異なるコアを有するシングルコア光ファイバを融着等して挿入することにより形成することができる。
【００２８】
また、本実施の形態では、通信光検知部１０３がシングルコア光ファイバ１０１の途中に設けられることを前提として説明したが、シングルコア光ファイバ１０１の先端に通信光検知部１０３を設け、通信光検知部１０３に光送受信器１０６から延在するシングルコア光ファイバとシングルコア光ファイバ１０１とを光接続するコネクタ機能を付すようにしても良い。
【符号の説明】
【００２９】
１００  通信光検知機能付マルチコアインタフェース
１０１  シングルコア光ファイバ
１０２  マルチコアインタフェース部
１０３  通信光検知部
１０４  フェルール
１０５  マルチコア光ファイバ
１０６  光送受信器
１０７  フェルール
１０８  コア
１０９  コア
１１０  接着剤
１１１  被覆層
１１２  通信光
１１３  漏洩光
１１４  光取出用溝
１１５  通信光検知器
１１６  フェルール
１１７  収容溝
１１８  受光素子
１１９  処理回路及び表示器
１２０  屈折率変化コア部
【図１】
2015001548.tif 000003
【図２】
2015001548.tif 000004
【図３】
2015001548.tif 000005
【図４】
2015001548.tif 000006